(57)【要約】【課題】水切り本体が着脱自在で、容易に取付や取外しができ、装着強度が充分で、安定がよい水切り材を提供する。【解決手段】水切り材１０は、水切り本体１１と固定基体２１とからなる。水切り本体１１は弾性板製で、雨水案内部１３と、前垂れ部１４と、通気孔１６を有する底面部１５とが連設されてなる。雨水案内部１３と底面部１５との端には結合突部１７、１８が付いている。固定基体２１の開口２２の上下両位置には結合溝部２５、２６がある。結合突部１７、１８は結合溝部２５、２６に嵌着可能で、その嵌着状態は水切り本体１１の弾性力で保持される。【選択図】  図１
2004300873.tif 000002
【特許請求の範囲】
【請求項１】
水切り本体と、固定基体とからなり、水切り本体は、弾性板製であって、雨水案内部と、前垂れ部と、通気孔を有する底面部とが連設され、雨水案内部の端には上方に突出するように結合突部が設けられ、かつ、底面部の端には下方に突出するように結合突部が設けられ、また、固定基体には開口があって、この開口の前面の上下両位置には結合溝部が設けられており、結合突部と結合溝部とは着脱自在に嵌結合させることができ、この結合によって水切り本体と固定基体とは一体となり、この結合状態では水切り本体の弾性力によって嵌合保持される建物用水切り材。
【請求項２】
固定基体の結合溝部が前後方向に複数個並べて設けられていて、水切り本体の結合突部を選択して結合溝部に嵌合させ、外装部材の位置によって水切り本体の張出し状態を調節できる請求項１記載の建物用水切り材。
【請求項３】
固定基体の取付部の前面には、通気用のシートを止める為の粘着テープが貼付けられている請求項１記載の建物用水切り材。
【請求項４】
水切り本体と、固定基体と、左官定規とからなり、左官定規は、外装部材を左官仕上げで形成する際の塗厚基準となる下端面構成部と、この端に設けられた結合突部とを有し、また、固定基体には結合溝部が設けられていて、結合突部と結合溝部とを嵌合させて、左官定規を固定基体に着脱自在に取付けることができる請求項１記載の建物用水切り材。
【発明の詳細な説明】
【０００１】
【発明の属する技術分野】
この発明は、建物の外装板の下端などに取付けて使用する水切り材の改良に関する。
【０００２】
【従来の技術】
建物の外装板を伝って流下してきた雨水を外方に導いて滴下させる為の水切り材は、従来から種々の形態のものが多数提案実施されており、本発明者等も既に次のようなものを提案した。即ち、外装板の位置に合わせて、水切り材の張り出し状態を調節できるようにする為、水切り材を、本体と基体との２体構成とし、本体を基体の複数箇所に選択的に固定できるようにしたもの（特許文献１参照）を提案した。また、水切り材に対して、弾性体製の防鼠用や防虫用の通気板を着脱自在に設けたもの（特許文献２参照）を提案した。
【０００３】
【特許文献１】
特開２００２−２０６２８８号公報（第２−３頁、図１−７）
【特許文献２】
特開２００２−２０６２８９号公報（第２−３頁、図１−４）
【０００４】
【発明が解決しようとする課題】
ところが、前記の既提案のものでは、実使用に於いて充分ではない。例えば、水切り本体を位置選択的に取付けうるようにしたものでは、各位置での固定力が不足し、強風時などには容易に脱落するおそれがある。また、防鼠用通気板だけが別体になっているものでは、この通気板の着脱しかできず、雨水案内部や前垂れ部を取外すことはできない。
【０００５】
本発明はこのような点に鑑み、水切り本体の着脱が簡単で、その取付時の固定力が高くて安定のよい水切り材を提供するにある。また防鼠用や防虫用の通気板が水切り本体と一体になっていて、全体としての着脱ができる水切り材を提供するにある。
【０００６】
【課題を解決するための手段】
本発明の水切り材の技術的手段は、水切り本体と、固定基体とからなり、水切り本体は、弾性板製であって、雨水案内部と、前垂れ部と、通気孔を有する底面部とが連設され、雨水案内部の端には上方に突出するように結合突部が設けられ、かつ、底面部の端には下方に突出するように結合突部が設けられ、また、固定基体には開口があって、この開口の前面の上下両位置には結合溝部が設けられており、結合突部と結合溝部とは着脱自在に嵌結合させることができ、この結合によって水切り本体と固定基体とは一体となり、この結合状態では水切り本体の弾性力によって嵌合保持されることにある。
【０００７】
また、固定基体の結合溝部を前後方向に複数個並べて設けておき、水切り本体の結合突部を選択して結合溝部に嵌合させ、外装部材の位置によって水切り本体の張出し状態を調節できるようにしてもよい。更に、水切り本体と、固定基体と、左官定規とからなり、左官定規は、外装部材を左官仕上げで形成する際の塗厚基準となる下端面構成部と、この端に設けた結合突部とを有し、また、固定基体には結合溝部を設けて、結合突部と結合溝部とを嵌合させて、左官定規を固定基体に着脱自在に取付けうるようにしてもよい。また、固定基体の取付部の前面に、通気シートを止める為の粘着テープを貼付けておいてもよい。
【０００８】
【発明の実施の形態】
本発明の水切り材の実施の形態を、図面の実施例に基づいて説明する。図１には、第１実施例の水切り材１０の取付使用状態が示されている。図中、１は布基礎、１２は化粧用のモルタル層、３は土台、４は基礎パッキンである。基礎パッキン４は布基礎１と土台３との間の適所に設けられ、パッキン４の無い所が床下換気用の通気間隙５となる。６は外装部材で、その下端の位置に水切り材１０が取付けられる。７はシートで、通気壁工法の際に壁の内側に貼り付けられる。
【０００９】
水切り材１０は、水切り本体１１と固定基体２１との２体構成である。水切り本体１１は、弾性板、例えばガルバリウム鋼板（厚さ０．３５ｍｍ）などを用いた板金製の一体物である。即ち、雨水案内部１３の先端に、前垂れ部１４が連設され、更に、前垂れ部１４の下端には底面部１５が連設されている。この底面部１５には防鼠用や防虫用などの適当な大きさの通気孔１６が多数形成されている。更に、雨水案内１３の後端には上方に突出するように結合突部１７が設けられ、また、底面部１５の後端には下方に突出するように結合突部１８が設けられている。
【００１０】
固定基体２１は、合成樹脂製で、押出成型などにより一体的に作られている。固定基体２１には大きな開口２２があって、この開口２２が通気間隙５の前方に位置するように組付け施工される。固定基体２１の上方部は取付部２３になっていて、釘止めなどによって土台３に固着される。また、固定基体２１の下端部２４は、布基礎のモルタル層２に当接するように配置される。
【００１１】
固定基体２１の開口２２の前面の上下には、結合溝部２５、２６が設けられている。この結合溝部２５、２６は、前後方向に複数個（図示例では２個）並べて形成されている。従って、結合突部１７、１８を結合溝部２５、２６に嵌結合させる際に、図２のように選択が可能で、外装部材６の位置に応じて、水切り材１０の張出し具合の調節ができる。なお、水切り本体１１の着脱は、素材が弾性材である為、手で押し曲げて簡単にでき、かつ、装着後は弾性力によって嵌結合状態を保持し、容易に外れることはない。また、取付部２３の前面には両面粘着テープ２９が貼付けられているので、通気用のシート７の下端を止めることができる。
【００１２】
また、施工時には、先ず固定基体２１のみを先に取付けておき、建物の施工完了後に、水切り本体１１を取付けるようにする。これにより、水切り本体１１が施工作業中に傷付いたり、汚れたりするのを防止できる。取付状態では、通気孔１６、開口２２、および布基礎１と土台３との間の通気間隙５を通って、空気が自由に出入りできるので、床下の換気を図ることができる。また、通気孔１６の孔の大きさを適宜定めることによって鼠や虫などの床下への侵入を防止できる。更に、水切り本体１１は簡単に着脱できるので、メンテナンス時に都合がよく、また、水切り本体１１が痛んだ場合に簡単に取替えることが可能である。
【００１３】
図３には、第２実施例が示されている。この水切り材３０は、水切り本体１１と、固定基体２１と、外装部材６を左官仕上げで構成する際の定規３１との３体構成で、図４のようにいずれも着脱自在である。なお、水切り本体１１や固定基体２１は、結合溝部２５、２６が１個である点を除き、他は第１実施例と同じであるから、その説明は省略する。
【００１４】
左官定規３１は、下端面構成部３２と結合突部３３とからなり、弾性材を用いた板金製である。この結合突部３３は、基体２１に形成された結合溝部２７に嵌め込まれて固定される。下端面構成部３２は、外装部材６を左官仕上げで作る際の塗布厚を定める定規となり、かつ、外装部材６の下端面を構成するようになる。２８は、結合溝部２７の上方に形成された抜け止め用の突条で、結合突部３３が結合溝部２７から不用意に抜け出すのを防止する。
【００１５】
第２実施例では、左官定規３１が付いているので、外装部材１６を左官仕上げで構成する場合に都合がよく、左官仕上げの際の塗り厚の基準となり、また、仕上げ後には下端面を構成できるようになる。なお、外装部材６に既製の外装材を用いる場合には、この左官定規３１は取外して使用しない。
【００１６】
本発明は、前記の実施例に限定されるものではなく、特許請求の記載の範囲内で自由に変形実施可能である。特に、水切り本体１１や固定基体２１、更には定規３１の詳細な材質や形状などは自由である。
【００１７】
【発明の効果】
この発明の水切り材は、水切り本体と固定基体とが着脱自在であるので、施工時には先ず固定基体のみを建物に取付けておき、水切り本体は施工工事の完了後に取付けるようにすることによって、水切り本体が工事中に傷付いたり、汚れたりするのを防止できる。また、使用後に傷付いた場合には、その水切り本体のみを自由に取替えることができる。更に水切り本体の着脱作業が容易であるから、メンテナンスなども簡単に行え、また結合状態の保持は弾性力で行うので、風などによって簡単に離脱することはない。また、底面部の通気孔の大きさを調節することによって鼠や虫などが床下に侵入するのを防止できる。
【００１８】
請求項２のものでは、結合溝部が複数個あるので、嵌合させる溝部を選択することによって、水切り本体の張出状態を調節でき、外装部材の位置に合わせた調節が可能である。
【００１９】
請求項３のものでは、固定基体の取付部に粘着テープが付いているので、通気用のシートの下縁をこのテープで止めることができ、シート取付状態で、風でバタ付いたりすることがなく、安定がよい。
【００２０】
請求項４のものでは、左官定規が付いているので、外装部材を左官仕上げで構成する際に利用できて、塗り厚の基準となり、かつ、塗装下端面を構成できるなど、極めて好都合である。また、この定規は着脱自在であり、既製の外装材を用いる場合には取外しておくようにする。
【図面の簡単な説明】
【図１】第１実施例の使用状態の断面図。
【図２】変更使用例の断面図。
【図３】第２実施例の使用状態の断面図。
【図４】分離状態の断面図。
【符号の説明】
１０            水切り材
１１            水切り本体
１３            雨水案内部
１４            前垂れ部
１５            底面部
１６            通気孔
１７、１８      結合突部
２１            固定基体
２２            開口
２３            取付部
２４            下端部
２５、２６、２７結合溝部
２９            両面粘着テープ
３０            水切り材
３１            左官定規
３２            下端面構成部
３３            結合突部
【図１】
2004300873.tif 000003
【図２】
2004300873.tif 000004
【図３】
2004300873.tif 000005
【図４】
2004300873.tif 000006